(57)【要約】【課題】光源から出力までの光路上に波長選択フィルタを含む波長多重送信モジュールにおいて反射器の方向の調整を可能にして低損失な合波を提供する、波長多重送信モジュールを作製する方法を提供する。【解決手段】調整治具５１は、支持体５３と、支持体５３の一端から延出する一又は複数の突起５５ａを有する。突起５５ａは受入部３３ｃにはめ合わせ可能である。調整治具５１を用いて、調整治具５１の支持体５３における突起５５ａの突出方向に延在する軸の回りの回転角（矢印ＡＲ１）、及び突出方向に延在する軸を、基板１３の主面１３ａの法線軸に対する傾斜角（矢印ＡＲ２）を調整できる。光学部品３１は、保持部品３３の被支持曲面３３ｄを凹部２１ａのエッジ２２ａに接触させた状態で、上記の回転角及び傾斜角を変更できる。保持部品３３は、金属製であり、例えば磁性金属を備えることが好ましい。【選択図】図１１
2013205629.tif 000002
【特許請求の範囲】
【請求項１】
波長多重送信モジュールを作製する方法であって、
被支持曲面を含む角度調整部を有する複数の保持部品のうちの第１保持部品と該第１保持部品によって支持された反射器とを含む第１光学部品を準備する工程と、
複数の光源と、第１凹部を有し該複数の光源及び一又は複数の波長選択フィルタを位置決めした基板とを備える基板部品を準備する工程と、
前記基板部品の前記第１凹部に前記第１光学部品を配置した状態で、前記複数の光源のうちの第１光源からの光を前記第１光学部品の前記反射器に当てて該反射器からの反射光を前記波長選択フィルタを介してモニタ装置で受けながら前記第１光学部品の前記反射器における角度の調整を行う工程と、
前記角度の調整の後に、前記第１光学部品を前記基板部品に固定する工程と、
を備え、
前記第１保持部品は、前記反射器を保持する保持部と、被支持曲面を含む角度調整部とを有し、
前記第１保持部品の前記被支持曲面は第１基準軸の方向に突出し、
前記保持部及び前記角度調整部は、前記第１基準軸の方向に配列され、
前記被支持曲面は、前記第１基準軸の方向に延在する第１基準面と前記第１保持部品との第１断面において前記第１基準軸の方向に突出する第１凸曲線を成すと共に、前記第１基準軸の方向に延在する第２基準面と前記第１保持部品との第２断面において前記第１基準軸の方向に突出する第２凸曲線を成し、
前記第１基準面は前記第２基準面に交差し、
前記第１凹部は、前記第１光学部品における前記被支持曲面を複数の箇所で支持可能な第１エッジを有し、
前記調整の際に、前記第１光学部品の向きは、前記被支持曲面が前記第１凹部の前記第１エッジに支持されながら変更される、波長多重送信モジュールを作製する方法。
【請求項２】
前記被支持曲面は、前記第１断面における前記第１凸曲線を前記第１基準軸に関して回転することにより規定される曲面の少なくとも一部分を含み、
前記第１基準軸に直交する平面と前記被支持曲面との交差は、閉じた曲線からなる、請求項１に記載された波長多重送信モジュールを作製する方法。
【請求項３】
前記基板部品の前記基板は、該複数の保持部品のうちの第２保持部品と該第２保持部品によって支持された反射器とを含む第２光学部品の前記保持部品の前記被支持曲面を複数の箇所で支持可能な第２エッジを有する第２凹部と、前記複数の光源のうちの第２光源と前記第２凹部との間に位置する偏波回転部品とを含み、
当該方法は、
前記第２光学部品を準備する工程と、
前記基板部品の前記第２凹部に前記第２光学部品を配置した状態で、前記第２光源からの光を前記第２光学部品の前記反射器に当てて該反射器からの反射光を前記波長選択フィルタを介してモニタしながら前記第２光学部品の前記反射器における角度の調整を行う工程と、
を更に備える、請求項１又は請求項２に記載された波長多重送信モジュールを作製する方法。
【請求項４】
前記波長選択フィルタは、前記第１光源と前記第１凹部との間に位置する、請求項１〜請求項３のいずれか一項に記載された波長多重送信モジュールを作製する方法。
【請求項５】
前記複数の光源にそれぞれ関連づけられた光学部品の反射器における角度調整を行う前に、前記基板部品をパッケージに配置する工程と、
前記複数の光源の残りの光源にそれぞれ関連づけられた光学部品の反射器における角度調整を行った後に、前記パッケージに蓋と取り付けて前記基板部品を収容するキャビティを有するハウジングを形成する工程と、
前記ハウジングを形成した後に、前記複数の光源からの光を受ける光ファイバを保持するスリーブ部品を前記ハウジングに溶接する工程と、
を更に備える、請求項１〜請求項４のいずれか一項に記載された波長多重送信モジュールを作製する方法。
【請求項６】
前記光源の数は前記保持部品の数より一つ多い、請求項１〜請求項５のいずれか一項に記載された波長多重送信モジュールを作製する方法。
【請求項７】
前記保持部品の前記被支持曲面は半球状の曲面からなる、請求項１〜請求項６のいずれか一項に記載された波長多重送信モジュールを作製する方法。
【請求項８】
前記保持部品は、前記被支持曲面の反対側に位置する上面を有し、
前記保持部品は、前記第１光学部品の角度調整を行うための調整治具を受け入れ可能であり前記保持部品の前記上面に設けられた受入部を含み、
前記保持部は、前記保持部品の前記上面に設けられ前記反射器を支持可能な凹部を含み、
当該方法は、角度を調整する前記工程に先立って、前記調整治具を前記受入部にはめ合わせる工程を更に備える、請求項１〜請求項７のいずれか一項に記載された波長多重送信モジュールを作製する方法。
【請求項９】
波長多重送信モジュールであって、
反射器と、前記反射器を保持する保持部及び角度調整部を有する保持部品とを含む第１光学部品と、
反射器と、前記反射器を保持する保持部及び角度調整部を有する保持部品とを含む第２光学部品と、
前記第１及び第２光学部品をそれぞれ受け入れ可能な第１凹部及び第２凹部を含む基板と、
前記基板に位置決めされた第１光源及び第２光源と、
光ファイバを保持しておりハウジングに固定されたスリーブ部品と、
を備え、
前記第１及び第２光学部品は、前記基板の前記第１及び第２凹部にそれぞれ設けられ、
前記角度調整部は、第１基準軸の方向に突出する被支持曲面を含み、
前記被支持曲面は、第１基準面と前記保持部品との第１断面において前記第１基準軸の方向に突出する第１凸曲線を成すと共に、第２基準面と前記保持部品との第２断面において前記第１基準軸の方向に突出する第２凸曲線を成し、
前記第１凹部は、前記第１光学部品の前記保持部品の前記被支持曲面を複数の箇所で支持可能な第１エッジを有し、
前記第２凹部は、前記第２光学部品の前記保持部品の前記被支持曲面を複数の箇所で支持可能な第２エッジを有し、
前記第１光源は、前記第１光学部品を介して前記光ファイバに光学的に結合され、
前記第２光源は、前記第２光学部品を介して前記光ファイバに光学的に結合され、
前記第１光学部品は、前記第１凹部に前記第１光学部品の前記被支持曲面が接触するようにして前記第１光学部品の向きが前記第１凹部において調整されており、
前記第２光学部品は、前記第２凹部に前記第２光学部品の前記被支持曲面が接触するようにして前記第２光学部品の向きが前記第２凹部において調整されている、波長多重送信モジュール。
【請求項１０】
波長多重送信モジュールに用いるための保持部品であって、
前記保持部品は、基準軸の方向に突出する被支持曲面を含む角度調整部と、反射器を保持するための保持部とを含み、
前記角度調整部及び前記保持部は前記基準軸にそって配置されており、
前記被支持曲面は、前記基準軸の方向に延在する第１基準面と前記保持部品との第１断面において前記基準軸の方向に突出する第１凸曲線を成すと共に、前記基準軸の方向に延在する第２基準面と前記保持部品との第２断面において前記基準軸の方向に突出する第２凸曲線を成し、
前記第１基準面は前記第２基準面に交差する、保持部品。
【発明の詳細な説明】
【技術分野】
【０００１】
本発明は、波長多重送信モジュールを作製する方法、波長多重送信モジュール、及び保持部品に関する。
【背景技術】
【０００２】
特許文献１には、波長選択フィルタを用いる波長多重送受信モジュールが記載されている。特許文献２及び特許文献３には、波長選択フィルタ及び反射板を組み合わせた光合波器を用いる送信モジュールが記載されている。特許文献４、特許文献５及び特許文献６は、波長選択フィルタの波長による透過特性の違いを利用した光合波を開示する。
【先行技術文献】
【特許文献】
【０００３】
【特許文献１】特開平０９−１４５９６４号公報
【特許文献２】特開２０１０−１７５８７５号公報
【特許文献３】特開２００８−１７６１２５号公報
【特許文献４】特開２０１１−０６６３３９号公報
【特許文献５】特開２００５−１４０９６０号公報
【特許文献６】特開２００９−１７５８７５号公報
【発明の概要】
【発明が解決しようとする課題】
【０００４】
上記の文献における装置では、波長選択フィルタや反射板といった光学部品の位置、角度及び煽りを光源からの光ビームに対して精度よく調整することが求められる。発明者らの検討によれば、これらの装置では、位置合わせのための突起物の角度公差、この突起物への光学部品の位置合わせ精度、波長板の反り、及び紫外線硬化樹脂の膜厚の差といった誤差に起因して、光学部品の煽り方向の調整は十分ではない。
【０００５】
本発明は、このような事情を鑑みて為されたものであり、光源から出力までの光路上に波長選択フィルタを含む波長多重送信モジュールにおいて反射器の向きの調整を可能にして低損失な合波を提供する、波長多重送信モジュールを作製する方法を提供することを目的とし、また、反射器の向きの調整を可能にして低損失な合波を提供する波長多重送信モジュールを提供することを目的とし、さらにこの波長多重送信モジュールのための保持部品を提供することを目的とする。
【課題を解決するための手段】
【０００６】
本発明に係る、波長多重送信モジュールを作製する方法は、（ａ）被支持曲面を含む角度調整部を有する複数の保持部品のうちの第１保持部品と該第１保持部品によって支持された反射器とを含む第１光学部品を準備する工程と、（ｂ）複数の光源と、第１凹部を有し該複数の光源及び一又は複数の波長選択フィルタを位置決めした基板とを備える基板部品を準備する工程と、（ｃ）前記基板部品の前記第１凹部に前記第１光学部品を配置した状態で、前記複数の光源のうちの第１光源からの光を前記第１光学部品の前記反射器に当てて該反射器からの反射光を前記波長選択フィルタを介してモニタ装置で受けながら、調整治具を用いて前記第１光学部品を保持するようにして前記第１光学部品の前記反射器における角度の調整を行う工程と、（ｄ）前記角度の調整の後に、前記第１光学部品を前記基板部品に固定する工程とを備える。前記第１保持部品は、前記反射器を保持する保持部と、被支持曲面を含む角度調整部とを有し、前記第１保持部品の前記被支持曲面は第１基準軸の方向に突出し、前記保持部及び前記角度調整部は、前記第１基準軸の方向に配列され、前記被支持曲面は、前記第１基準軸の方向に延在する第１基準面と前記保持部品との第１断面において前記第１基準軸の方向に突出する第１凸曲線を成すと共に、前記第１基準軸の方向に延在する第２基準面と前記保持部品との第２断面において前記第１基準軸の方向に突出する第２凸曲線を成し、前記第１基準面は前記第２基準面に交差し、前記第１凹部は、前記第１光学部品における前記被支持曲面を複数の箇所で支持可能な第１エッジを有し、前記調整の際に、前記第１光学部品の向きは、前記被支持曲面が前記第１凹部の前記第１エッジに支持されながら変更される。
【０００７】
この波長多重送信モジュールを作製する方法によれば、第１保持部品が第１基準軸の方向に突出する被支持曲面を有すると共に、基板部品の第１凹部が第１光学部品の被支持曲面を複数の箇所で支持可能な第１エッジを有する。これ故に、調整の際に、調整治具を用いて前記第１光学部品を保持するようにして、被支持曲面が第１凹部の前記第１エッジに支持されるようにしながら第１光学部品の反射器の向きを、独立に規定される２つの角度に関して調整可能である。反射器の向きに関する上記調整は、第１光源から光出力までの光路上の波長選択フィルタを含む波長多重送信モジュールの作製に際して、光損失を低減できる。
【０００８】
本発明に係る作製方法では、前記被支持曲面は、前記第１断面における前記第１凸曲線を前記第１基準軸に関して回転することにより規定される曲面の少なくとも一部分を含み、前記第１基準軸に直交する平面と前記被支持曲面との交差は、閉じた曲線からなることが好ましい。
【０００９】
この作製方法によれば、被支持曲面が第１基準軸の回りの回転により規定される曲面を含むと共に、第１基準軸に直交する平面と被支持曲面との交差が閉曲線からなる。これ故に、被支持曲面の凸曲面が第１凹部のエッジに接触しながら第１保持部品の角度が連続的に変更可能である。角度調整に際して、第１保持部品の反射器の位置を連続に変更させることができる。
【００１０】
本発明に係る作製方法では、前記基板部品の前記基板は、前記第２光学部品の前記保持部品の前記被支持曲面を複数の箇所で支持可能な第２エッジを有する第２凹部と、前記第２凹部と前記第２光源との間に位置する偏波回転部品とを含むことができる。当該方法は、該複数の保持部品のうちの第２保持部品と該第２保持部品によって支持された反射器とを含む第２光学部品を準備する工程と、前記基板部品の前記第２凹部に前記第２光学部品を配置した状態で、前記複数の光源のうちの第２光源からの光を前記第２光学部品の前記反射器に当てて該反射器からの反射光を前記波長選択フィルタを介してモニタしながら前記第２光学部品の前記反射器における角度の調整を行う工程とを更に備えることができる。
【００１１】
この波長多重送信モジュールを作製する方法によれば、第２保持部品が第２基準軸の方向に突出する被支持曲面を有すると共に、基板部品の第２凹部が第２光学部品の被支持曲面を複数の箇所で支持可能な第２エッジを有する。これ故に、調整の際に、被支持曲面が第２凹部の前記第２エッジに支持されるようにしながら第２光学部品の反射器の向きを、独立に規定される２つの角度に関して調整可能である。反射器の向きに関する上記調整は、第２光源から光出力までの光路上の波長選択フィルタを含む波長多重送信モジュールの作製に際して、光損失を低減できる。
【００１２】
本発明に係る作製方法では、前記波長選択フィルタは、前記第１光源と前記第１凹部との間に位置することができる。
【００１３】
本発明に係る作製方法は、前記複数の光源にそれぞれ関連づけられた光学部品の反射器における角度調整を行う前に、前記基板部品をパッケージに配置する工程と、前記複数の光源の残りの光源にそれぞれ関連づけられた光学部品の反射器における角度調整を行った後に、前記パッケージに蓋を取り付けて前記基板部品を収容するキャビティを有するハウジングを形成する工程と、前記ハウジングを形成した後に、前記複数の光源からの光を受ける光ファイバを保持するスリーブ部品を前記ハウジングに溶接する工程とを更に備えることができる。
【００１４】
この波長多重送信モジュールを作製する方法によれば、基板部品をハウジングに形成した後に、スリーブ部品を調心してハウジングに固定するので、ハウジング形成、すなわち蓋を取り付ける際の溶接に起因する熱応力の影響により光軸ずれの発生を低減できる。
【００１５】
本発明に係る作製方法では、当該波長多重送信モジュールは、前記光源の数より一つ多い前記保持部品を含むことができる。
【００１６】
この波長多重送信モジュールを作製する方法によれば、例えばｎ個の光源のうち、（ｎ−１）個の光源について１〜（ｎ−１）個の光学部品の調整を行うと共に、これらの光学部品の反射器による反射光を残りの１個の光源の光路に合波できる。
【００１７】
本発明に係る作製方法では、前記保持部品の前記被支持曲面は半球状の曲面からなることができる。
【００１８】
この波長多重送信モジュールを作製する方法によれば、被支持曲面は半球状の曲面からなるので、保持部品の作製が容易である。
【００１９】
本発明に係る作製方法では、前記第１保持部品は、前記被支持曲面の反対側に位置する上面を有し、前記保持部品は、前記第１光学部品の角度調整を行うための調整治具を受け入れ可能であり前記保持部品の前記上面に設けられた受入部を含み、前記保持部は、前記保持部品の前記上面に設けられ前記反射器を支持可能な凹部を含むことができる。当該方法は、角度を調整する前記工程に先立って、前記調整治具を前記受入部にはめ合わせる工程を更に備えることができる。
【００２０】
この波長多重送信モジュールを作製する方法によれば、第１保持部品の受入部に調整治具をはめ合わせるので、第１光学部品の角度調整を容易に行うことができる。
【００２１】
本発明に係る波長多重送信モジュールは、（ａ）反射器と、前記反射器を保持する保持部と角度調整部とを有する保持部品とを含む第１光学部品と、（ｂ）反射器と、前記反射器を保持する保持部及び角度調整部を有する保持部品とを含む第２光学部品と、（ｃ）前記第１及び第２光学部品をそれぞれ受け入れ可能な第１及び第２凹部を含む基板と、（ｄ）前記基板に位置決めされた第１及び第２光源と、（ｅ）光ファイバを保持しておりハウジングに固定されたスリーブ部品とを備える。前記第１及び第２光学部品は、前記基板の前記第１及び第２凹部にそれぞれ設けられ、前記角度調整部は、第１基準軸の方向に突出する被支持曲面を含み、前記被支持曲面は、第１基準軸の方向に延出する第１基準面と前記保持部品との第１断面において前記第１基準軸の方向に突出する第１凸曲線を成すと共に、第１基準軸の方向に延出する第２基準面と前記保持部品との第２断面において前記第１基準軸の方向に突出する第２凸曲線を成し、前記第１凹部は、前記第１光学部品の前記保持部品の前記被支持曲面を複数の箇所で支持可能な第１エッジを有し、前記第２凹部は、前記第２光学部品の前記保持部品の前記被支持曲面を複数の箇所で支持可能な第２エッジを有し、前記第１光源は、前記第１光学部品を介して前記光ファイバに光学的に結合され、前記第２光源は、前記第２光学部品を介して前記光ファイバに光学的に結合され、前記第１光学部品は、前記第１凹部に前記第１光学部品の前記被支持曲面が接触するようにして前記第１光学部品の前記反射器の向き付けが前記第１凹部において調整されており、前記第２光学部品は、前記第２凹部に前記第２光学部品の前記被支持曲面が接触するようにして前記第２光学部品の前記反射器の向き付けが前記第２凹部において調整されている。
【００２２】
この波長多重送信モジュールによれば、第１保持部品が第１基準軸の方向に突出する被支持曲面を有すると共に、基板部品の第１凹部が第１光学部品の被支持曲面を複数の箇所で支持可能な第１エッジを有する。これ故に、調整の際に、被支持曲面が第１凹部の前記第１エッジに支持されるようにしながら第１光学部品の反射器の向き付けを、独立に規定される２つの角度に関して調整可能である。反射器の向き付けに関する上記調整は、第１光源から光出力までの光路上の波長選択フィルタを含む波長多重送信モジュールの作製に際して、光損失を低減できる。
【００２３】
本発明に係る、波長多重送信モジュールに用いるための保持部品では、前記保持部品は、基準軸の方向に突出する被支持曲面を含む角度調整部と、反射器を保持するための保持部とを含み、前記位置合わせ部及び前記保持部は前記基準軸にそって配置されており、前記被支持曲面は、前記基準軸の方向に延在する第１基準面と前記保持部品との第１断面において前記基準軸の方向に突出する第１凸曲線を成すと共に、前記基準軸の方向に延在する第２基準面と前記保持部品との第２断面において前記基準軸の方向に突出する第２凸曲線を成し、前記第１基準面は前記第２基準面に交差する。
【発明の効果】
【００２４】
以上説明したように、本発明によれば、光源から出力までの光路上に波長選択フィルタを含む波長多重送信モジュールにおいて反射器の向きの調整を可能にして低損失な合波が提供される、波長多重送信モジュールを作製する方法が提供される。また、本発明によれば、反射器の向きの調整を可能にして低損失な合波を提供する波長多重送信モジュールが提供される。さらに、本発明によれば、この波長多重送信モジュールのための保持部品が提供される。
【図面の簡単な説明】
【００２５】
【図１】図１は、波長多重送信モジュールを作製する方法における主要な工程を模式的に示す図面である。
【図２】図２は、波長多重送信モジュールのための基板を模式的に示す図面である。
【図３】図３は、波長多重送信モジュールのための光学部品を模式的に示す図面である。
【図４】図４は、波長多重送信モジュールのための光学部品を模式的に示す図面である。
【図５】図５は、波長多重送信モジュールを作製する方法における主要な工程を模式的に示す図面である。
【図６】図６は、波長多重送信モジュールを作製する方法における主要な工程を模式的に示す図面である。
【図７】図７は、波長多重送信モジュールを作製する方法における主要な工程を模式的に示す図面である。
【図８】図８は、波長多重送信モジュールを作製する方法における主要な工程を模式的に示す図面である。
【図９】図９は、波長多重送信モジュールを模式的に示す図面である。
【図１０】図１０は、波長多重送信モジュールを作製する方法における主要な工程を模式的に示す図面である。
【図１１】図１１は、波長多重送信モジュールを作製する方法における主要な工程を模式的に示す図面である。
【発明を実施するための形態】
【００２６】
添付図面を参照しながら、本発明の波長多重送信モジュールを作製する方法、波長多重送信モジュール、及び保持部品に係る実施の形態を説明する。可能な場合には、同一の部分には同一の符号を付する。
【００２７】
図１は、波長多重送信モジュールを作製する方法における主要な工程を模式的に示す図面である。図面を参照しながら、波長多重送信モジュールを作製する方法を説明する。
【００２８】
図１に示されるように、基板部品１１を準備する。基板部品１１は、実装用の基板１３、複数の光源１５、フィルタ部品（１７、１９）、光学レンズ２５及び偏波回転部品２７を含む。フィルタ部品（１７、１９）は、例えば波長選択フィルタ１７及び偏波選択フィルタ１９を含む。図２は、実装用の基板の一例を示す図面である。基板１３は、複数の凹部２１ａ、２１ｂ、２１ｃを含み、また、複数の光源１５及び一又は複数のフィルタ部品（１７、１９）を位置決めするための位置決めマーク２３を含む。位置決めマーク２３は、光源用のマーク２３ａ及びフィルタ部品用のマーク２３ｂを含む。これらのマーク２３に合わせて、光源１５、波長選択フィルタ１７、及び偏波選択フィルタ１９が位置決めされる。凹部２１ａ、２１ｂ、２１ｃの各々は、光学部品を調整するために用いられる。
【００２９】
本実施例では、複数の光源１５、フィルタ部品（１７、１９）、光学レンズ２５及び偏波回転部品２７の位置合わせを基板１３の主面１３ａの構造物（例えばマーク２３）を用いて行ったが、本発明は、これに限定されるものではない。複数の光源１５ａ、１５ｂ、１５ｃ、１５ｄは、互いに異なる波長の光を生成する。光源１５ａ、１５ｂ、１５ｃ、１５ｄは、例えば波長λ１、λ２、λ３、λ４の光を発生するレーザダイオードを含むことができる。波長λ１、λ２、λ３、λ４は、ＬＡＮ−ＷＤＭ規格にそった発振波長として選択される。波長λ１、λ２、λ３、λ４は、それぞれの中心波長が、例えば１２９５．５６ｎｍ、１３００．０５ｎｍ、１３０４．５８ｎｍ、１３０９．１４ｎｍである。
【００３０】
例えば、基板部品（アセンブリ）１３は例えば以下のように作製される。光源１５ａ〜１５ｄは、基板１３上に記されたマークに合わせてハンダ等で固定される。光源１５ａ〜１５ｄのそれぞれに対応した光学レンズ２５を介して光源からのビームをコリメート光に変換する。個々の光学レンズ２５は、汎用接着材で基板１３の所定の位置に固定される。光源１５ａ〜１５ｄからのビームの平行光の形状は、汎用のレーザビームプロファイラにより観測されて調整される。次いで、光源１５ａ〜１５ｄのうち、波長の短い方から１番目と３番目の光源の前方に偏波回転部品２７（２７ａ、２７ｂ）が設けられ、これらは汎用接着材で固定される。偏波回転部品２７（２７ａ、２７ｂ）は、入射光の偏波面を９０度回転した出力光を提供する。次に、波長選択フィルタ１７及び偏波選択フィルタ１９は、基板１３の主面１３ａ上に記されたマークに合わせて汎用接着材で固定される。複数の光源１５ａ〜１５ｄにそれぞれ関連づけられた光学部品３１ａ〜３１ｃの反射器３５における光学的な調整を行う前に、上述の基板部品１３をパッケージ２９に配置して、基板部品１３をパッケージ２９内に実装する。ここで、パッケージ２９は、別ステージに固定されているコリメートレンズ付きのシングルモードファイバを含む装置（以下モニタ装置２８と記す）と平行出しを行って設置されている。また、パッケージ２９には、光源駆動部品３０がハンダ等の汎用接着材で固定されている。光源１５は、光駆動部品３０に電気的に配線を介して接続されている。
【００３１】
また、基板１３の主面１３ａには、第１凹部２１ａ、第２凹部２１ｂ及び第３凹部２１ｃが設けられている。基板１３の材料としては、例えばシリコン、石英、窒化アルミニウム等を用いることができる。凹部２１（２１ａ、２１ｂ、２１ｃ）は、それぞれ、光学部品における曲面状の底を複数の箇所で（或いはほぼ連続的に）支持可能なエッジ２２ａ、２２ｂ、２２ｃを有する。凹部２１（２１ａ、２１ｂ、２１ｃ）の開口の形状は、図２に示される実施例では、正方形や長方形といった四辺形を有するけれども、多角形、真円や楕円といった円や、さらには凸閉曲線であることができる。本発明は、開口の形状に関して、これらの列挙された例示に限定されない。
【００３２】
図３及び図４に示されるように、光学部品３１を準備する。本実施例では、光学部品３１として例えば第１光学部品３１ａ、第２光学部品３１ｂ及び第３光学部品３１ｃを用い、第１、第２及び第３光学部品３１ａ、３１ｂ、３１ｃは、反射器の反射特性を除き光学部品３１と実質的に同じ構造を有することができる。光学部品３１は、保持部品３３と該保持部品３３によって支持された反射器３５とを含む。保持部品３３は、被支持曲面３３ｄを含む角度調整部３３ａ、反射器３５を保持する保持部３３ｂを含む。角度調整部３３ａは被支持曲面３３ｄを含み、保持部３３ｂは反射器３５を保持する。保持部品３３では、角度調整部３３ａの被支持曲面３３ｄは基準軸Ａｘの方向に突出する。角度調整部３３ａ及び保持部３３ｂは基準軸Ａｘにそって配置されている。例えば、第１、第２及び第３光学部品３１ａ、３１ｂ、３１ｃは、それぞれ、第１保持部品、第２保持部品及び第３保持部品を含む。
【００３３】
保持部品３３は、さらに、光学部品３１の角度調整を行うための調整治具を受け入れ可能であり保持部品３１の上面３１ｅに設けられた第１及び第２受入部３３ｃを含むことができる。また、保持部３３ｂは反射器３５の一端を受け入れる凹部３３ｆを含む。凹部３３ｆは、保持部品３３の上面３３ｅにおいて第１方向に延在する一方で、第１及び第２受入部３３ｃが、上面３３ｅにおいて第１方向に交差する第２方向に延在する軸に沿って配列される。
【００３４】
図４を参照すると、被支持曲面３３ａは、第１基準面ＲＥＦ１との第１断面において基準軸Ａｘの方向に突出する第１凸曲線ＣＶ１を成すと共に、第２基準面ＲＥＦ２との第２断面において基準軸Ａｘの方向に突出する第２凸曲線ＣＶ２を成す。第１基準面ＲＥＦ１は第２基準面ＲＥＦ２に交差する。凹部３３ｆは、基準軸Ａｘの方向に深くなり、また反射器３５の一端を受け入れて支持・案内する。
【００３５】
図３に示されるように、基準軸Ａｘに直交する平面ＲＰＬと被支持曲面３３ｄとの交差は、閉じた曲線からなることが好ましい。
【００３６】
また、図４を参照すると、一実施例であるが、被支持曲面３３ｄは、第１断面における第１凸曲線ＣＶ１を基準軸Ａｘに関して回転することにより規定される曲面の少なくとも一部分を含むことが好ましい。この基準軸Ａｘは保持部３３ｂから被支持曲面３３ｄの先端へ向かう。このとき、基準軸Ａｘに直交する平面ＲＰＬと被支持曲面との交差は、閉じた曲線（円形）からなる。被支持曲面３３ｄがある基準軸の回りの回転により規定される曲面を含むと共に、この基準軸に直交する平面ＲＰＬと被支持曲面３３ｄとの交差が閉曲線からなる。これ故に、被支持曲面３３ｄの凸曲面が、基板１３の凹部（例えば凹部２１ａ）のエッジ（例えば凹部２１ａのエッジ２２ａ）に接触しながら保持部品３１の角度が変更される。角度調整に際して、保持部品３３の反射器３５の位置を連続に変更させることができる。好適な実施例では、保持部品３３の被支持曲面３３ｄは半球状の曲面からなることができる。被支持曲面３３ｄが半球状の曲面からなるので、保持部品３３の作製が容易である。
【００３７】
基板部品における光学的調芯について説明する。パッケージ２９の前方には、後の工程でスリーブが取り付けられる。この取り付け部位には封止部が設けられ、封止部は、光出力のために開口にガラス等により封止が施されている。図１に示されるように、そのパッケージ２９の封止部の外側に、コリメートレンズ付きシングルモードファイバの装置（以下、モニタ装置２８と記す）を近づけ、第１光源１５ａを発光させ、モニタ装置２８の受光量が最大となる位置でコリメートレンズ付きシングルモードファイバを保持している。
【００３８】
引き続く光学軸合わせの３ステップは、この光学的設定で行われている。
【００３９】
図５に示されるように、基板部品１３の第１凹部２１ａに第１光学部品３１ａを配置した状態で、複数の光源１５のうちの第２光源１５ｂからの光（波長λ２）を光学レンズ２５ｂ及びフィルタ１７ｂを介して第１光学部品３１ａの反射器３５に当てて該反射器３５からの反射光をフィルタ１９を介してモニタ装置２８で受けながら光学部品３１の反射器３５における角度の調整を行う。図５において、破線ＤＡＳＨ１は、既に調芯された光の経路を示し、実線は、ただいま調芯中の光（波長λ２）の経路を示す。
【００４０】
凹部２１ａは、第１光学部品３１ａにおける被支持曲面３３ｄを複数の箇所で支持可能なエッジ２２ａを有するので、調整の際に、第１光学部品３１の向きは被支持曲面３３ｄが凹部２１ａのエッジ２２ａに支持されながら変更される。
【００４１】
次いで、角度の調整の後に、第１光学部品３１ａを基板部品１３に固定する。具体的には、光源１５ｂを発光させて、第１光学部品３１ａの反射板３５を調整しながら、モニタ装置２８の受光量が最大となる位置で、第１光学部品３１ａを固定する。反射板３５は保持部品３３にあらかじめハンダや紫外線硬化樹脂等で固定されている。
【００４２】
この波長多重送信モジュールを作製する方法によれば、光学部品３１ａが基準軸Ａｘの方向に突出する被支持曲面３３ｄを有すると共に、基板部品１３の凹部２１ａが光学部品３１ａの被支持曲面３３ｄを複数の箇所で支持可能なエッジ２２ａを有する。これ故に、調整の際に、被支持曲面３３ｄが凹部２１ａのエッジ２２ａに支持されるようにしながら光学部品３１ａの反射器３５の向きを、独立に規定される２つの角度に関して調整可能である。反射器３５の向きに関する上記調整は、光源１５ｂから光出力までの光路上のフィルタ１７ｂ、１９を含む波長多重送信モジュールの作製に際して、光損失を低減できる。
【００４３】
引き続き、第３光源１５ｃの光路における調整を行う。図６に示されるように、基板部品１３の第２凹部２１ｂに第２光学部品３１ｂを配置した状態で、複数の光源１５のうちの第３光源１５ｃからの光（波長λ３）を第２光学部品３１ｂの反射器３５に当てて該反射器３５からの反射光をフィルタ１７ａ及び１９を介してモニタ装置２８で受けながら光学部品３１ｂの反射器３５における角度の調整を行う。図６において、破線ＤＡＳＨ１及びＤＡＳＨ２は、既に調芯された光の経路を示し、実線は、ただいま調芯中の光（波長λ３）の経路を示す。
【００４４】
凹部２１ｂは、第２光学部品３１ｂにおける被支持曲面３３ｄを複数の箇所で支持可能なエッジ２２ｂを有するので、調整の際に、第２光学部品３１ｂの向きは被支持曲面３３ｄが凹部２１ｂのエッジ２２ｂに支持されながら変更される。
【００４５】
次いで、角度の調整の後に、第２光学部品３１ｂを基板部品１３に固定する。具体的には、光源１５ｃを発光させて、第２光学部品３１ｂの反射板３５を調整しながら、モニタ装置２８の受光量が最大となる位置で、第２光学部品３１ｂを固定する。反射板３５は保持部品３３にあらかじめハンダや紫外線硬化樹脂等で固定されている。
【００４６】
この波長多重送信モジュールを作製する方法によれば、光学部品３１ｂが基準軸Ａｘの方向に突出する被支持曲面３３ｄを有すると共に、基板部品１３の凹部２１ｂが光学部品３１ｂの被支持曲面３３ｄを複数の箇所で支持可能なエッジ２２ｂを有する。これ故に、調整の際に、被支持曲面３３ｄが凹部２１ｂのエッジ２２ｂに支持されるようにしながら光学部品３１ｂの反射器３５の向きを、独立に規定される２つの角度に関して調整可能である。反射器３５の向きに関する上記調整は、光源１５ｃから光出力までの光路上のフィルタ１７ａ、１９を含む波長多重送信モジュールの作製に際して、光損失を低減できる。
【００４７】
引き続き、第４光源１５ｄの光路における調整を行う。図７に示されるように、基板部品１３の第３凹部２１ｃに第３光学部品３１ｃを配置した状態で、複数の光源１５のうちの第４光源１５ｄからの光（波長λ４）を第３光学部品３１ｃの反射器３５に当てて該反射器３５からの反射光をフィルタ１７ｂ及び１９を介してモニタ装置２８で受けながら光学部品３１ｃの反射器３５における角度の調整を行う。図７において、破線ＤＡＳＨ１、ＤＡＳＨ２及びＤＡＳＨ３は、既に調芯された光の経路を示し、実線は、ただいま調芯中の光（波長λ４）の経路を示す。
【００４８】
凹部２１ｃは、第３光学部品３１ｃにおける被支持曲面３３ｄを複数の箇所で支持可能なエッジ２２ｃを有するので、調整の際に、第３光学部品３１ｃの向きは被支持曲面３３ｄが凹部２１ｃのエッジ２２ｃに支持されながら変更される。
【００４９】
次いで、角度の調整の後に、第３光学部品３１ｃを基板部品１３に固定する。具体的には、光源１５ｄを発光させて、第３光学部品３１ｃの反射板３５を調整しながら、モニタ装置２８の受光量が最大となる位置で、第３光学部品３１ｃを固定する。反射板３５は保持部品３３にあらかじめハンダや紫外線硬化樹脂等で固定されている。
【００５０】
この波長多重送信モジュールを作製する方法によれば、光学部品３１ｃが基準軸Ａｘの方向に突出する被支持曲面３３ｄを有すると共に、基板部品１３の凹部２１ｃが光学部品３１ｃの被支持曲面３３ｄを複数の箇所で支持可能なエッジ２２ｃを有する。これ故に、調整の際に、被支持曲面３３ｄが凹部２１ｃのエッジ２２ｃに支持されるようにしながら光学部品３１ｃの反射器３５の向きを、独立に規定される２つの角度に関して調整可能である。反射器３５の向きに関する上記調整は、光源１５ｄから光出力までの光路上のフィルタ１７ｂ、１９を含む波長多重送信モジュールの作製に際して、光損失を低減できる。
【００５１】
上記の調整の結果、波長選択フィルタ１７ａは、偏波回転部品２７ｂが波長選択フィルタ１７ａと光源１５ａとの間に設置される位置に設けられる。波長選択フィルタ１７ｂは、凹部２１ａ上の光学部品３１ｂと光源１５ｂとの間に設けられる。偏波回転部品２７ａは、凹部２１ｂ上の光学部品３１ｂと光源１５ｃとの間に設けられる。波長λ１の光の光路には、偏波回転部品２７ｂ、波長選択フィルタ１７ａ及び偏波選択フィルタ１９が配置される。波長λ２の光の光路には、波長選択フィルタ１７ｂ、光学部品３１ａの反射器３５及び偏波選択フィルタ１９が配置される。波長λ３の光の光路には、偏波回転部品２７ａ、光学部品３１ｂの反射器３５、波長選択フィルタ１７ａ及び偏波選択フィルタ１９が配置される。波長λ４の光の光路には、光学部品３１ｃの反射器３５、波長選択フィルタ１７ｂ及び偏波選択フィルタ１９が配置される。
【００５２】
この配置により、波長選択フィルタ１７ａの光学特性は波長λ１の光を選択的に透過し、波長λ３の光を反射するものであり、波長選択フィルタ１７ｂの光学特性は波長λ２の光を選択的に透過し、波長λ４の光を反射するものである。光学部品３１ａの反射器３５の光学特性は波長λ４の光を反射するものであり、光学部品３１ｂの反射器３５の光学特性は波長λ３の光を反射するものであり、光学部品３１ｃの反射器３５の光学特性は波長λ４の光を反射するものである。偏波選択フィルタ１９の光学特性は波長λ１で偏波回転部品２７ｂ出射後の偏波光と、波長λ３で偏波回転部品２７ａ出射後の偏波光とを透過し、波長λ２およびλ４で上記で上記偏波面とは異なる角度、例えば９０度異なる角度の偏波面を有する光を反射するものである。
【００５３】
このように、複数の光源の残りの光源にそれぞれ関連づけられたすべて光学部品３１ａ、３１ｂ、３１ｃの反射器３５における角度調整を行った後に、図８に示されるように、パッケージ２９に蓋３９と取り付けて、基板部品１３を収容するキャビティを有するハウジング４１を形成する。図８において、破線ＤＡＳＨ１、ＤＡＳＨ２、ＤＡＳＨ３及びＤＡＳＨ４で示されるように、全ての光の経路が調芯されている。キャビティの形成に際して、好ましくは、窒素置換をおこないハウジング４１を気密封止する。
【００５４】
図８に示されるように、ハウジングを形成した際に蓋の溶接によって歪が生じるため、光源１５からの光を受ける光ファイバ４３を保持するスリーブ部品４５を再度調心した上でハウジング４１に溶接する。この波長多重送信モジュールを作製する方法によれば、基板部品１３をハウジング４１に収容した後に、スリーブ部品４５を再度調心した上でハウジング４１に溶接するので、ハウジング形成時の溶接に起因する熱応力の影響により光軸ずれの影響を低減できる。スリーブ部品４５は、光学レンズ４５ａ付きのスリーブ４５ｂ、偏波無依存アイソレータ４５ｃ付きのスリーブ４５ｄを含む。
【００５５】
スリーブ部品４５の調芯は、例えば以下のように行われる。光源１５ａを発光させ、スリーブ部品４５を調心し、光ファイバ４３の最大受光量の位置でハウジング４１に溶接固定する。溶接は例えばＹＡＧ溶接等により行われる。
【００５６】
これらの工程により、図９に示されるように、波長多重送信モジュール４７が作製された。
【００５７】
図９に示されるように、波長多重送信モジュール４７は、基板１３と、第１光学部品３１ａと、第２光学部品３１ｂと、第３光学部品３１ｃと、第１光源１５ａと、第２光源１５ｂと、第３光源１５ｃと、第４光源１５ｄと、スリーブ部品４５とを備える。スリーブ部品４５は、光ファイバ４３を保持しており、またハウジング４１に固定されている。
【００５８】
図３及び図４に示されるように、第１光学部品３１ａ〜３１ｃの各々は、保持部品３３と、反射器３５とを含む。保持部品３３は、第１基準軸（例えば基準軸Ａｘ）の方向に突出する被支持曲面３３ｄを含む角度調整部３３ａと、反射器３５を保持する保持部３３ｂとを有する。被支持曲面３３ｄは、基準軸Ａｘの方向に延在する第１基準面ＲＥＦ１と保持部品３３との第１断面において基準軸Ａｘの方向に突出する第１凸曲線ＣＶ１を成すと共に、基準軸Ａｘの方向に延在する第２基準面ＲＥＦ２と保持部品３３との第２断面において基準軸Ａｘの方向に突出する第２凸曲線ＣＶ２を成す。
【００５９】
図２に示されるように、基板１３は、第１〜第３光学部品３１ａ〜３１ｃをそれぞれ受け入れ可能な第１〜第３凹部２１ａ〜２１ｃを含む。第１〜第４光源１５ａ〜１５ｄは基板１３に位置決めされており、第１〜第３光学部品３１ａ〜３１ｃは、それぞれ、基板１３の第１〜第３凹部２１ａ〜２１ｃ上に設けられている。第１凹部２１ａは、第１光学部品３１ａの保持部品３３の被支持曲面３３ｄを複数の箇所で支持可能な第１エッジ２２ａを有し、第２凹部３１ｂは、第２光学部品３１ｂの保持部品３３の被支持曲面３３ｄを複数の箇所で支持可能な第２エッジ２２ｂを有し、第３凹部２１ｃは、第３光学部品３１ｃの保持部品３３の被支持曲面３３ｄを複数の箇所で支持可能な第３エッジ２２ｃを有する。
【００６０】
第２光源１５ｂは、第１光学部品３１ａを介して光ファイバ４３に光学的に結合され、第３光源１５ｃは、第２光学部品３１ｂを介して光ファイバ４３に光学的に結合され、第４光源１５ｄは、第３光学部品３１ｃを介して光ファイバ４３に光学的に結合され、第１光源１５ａは、光学部品３１ａ〜３１ｃを介することなく光ファイバ４３に光学的に結合される。
【００６１】
この波長多重送信モジュールでは、第１光学部品３１ａは、第１凹部２１ａに第１光学部品３１ａの被支持曲面３３ｄが接触するようにして第１光学部品３１ａの反射器３５の煽り及び第１光学部品３１ａの向きが第１凹部２１ａにおいて調整されており、基板１３に固定されている。第２光学部品３１ｂは、第２凹部２１ｂに第２光学部品３１ｂの被支持曲面３３ｄが接触するようにして第２光学部品２１ｂの反射器３５の煽り及び第２光学部品３１ｂの向きが第２凹部２１ｂにおいて調整されており、基板１３に固定されている。第３光学部品３１ｃは、第３凹部２１ｃに第３光学部品３１ｃの被支持曲面３３ｄが接触するようにして第３光学部品２１ｃの反射器３５の煽り及び第３光学部品３１ｃの向きが第３凹部２１ｃにおいて調整されており、基板１３に固定されている。
【００６２】
この波長多重送信モジュール４７によれば、保持部品３３が第１基準軸（例えばＡｘ）の方向に突出する被支持曲面３３ｄを有すると共に、基板部品１１の凹部２１ａ、２１ｂ、２１ｃが、それぞれ、光学部品３１ａ、３１ｂ、３１ｃの被支持曲面３３ｄを複数の箇所で支持可能なエッジ２２ａ、２２ｂ、２２ｃを有する。これ故に、調整の際に、例えば被支持曲面３３ｄが第１凹部２１ａの第１エッジ３３ａに支持されるようにしながら第１光学部品３１ａの反射器３５の向きを、独立に規定される２つの角度に関して調整可能である。反射器３５の向きに関する上記調整は、光源から光出力までの光路上の波長選択フィルタを含む波長多重送信モジュールの作製に際して、光損失を低減できる。
【００６３】
波長多重送信モジュール４７は、光学部品３１の数より一つ多い光源１５を含むことができる。例えばｎ個の光源１５ａ〜１５ｄのうち、（ｎ−１）個の光源１５ｂ〜１５ｄについて（ｎ−１）個の光学部品３１ａ〜３１ｃの調整を行うと共に、これらの光学部品３１ａ〜３１ｃの反射器３５による反射光を残りの１個の光源１５ａの光路に合波できる。
【００６４】
波長多重送信モジュール４７では、光学部品３１ａ〜３１ｃの煽り方向の調整が可能となり、合波損失を低減できる。
【００６５】
図５、図６及び図７に示された光学部品の調整を更に説明する。図２及び図３を参照すると、保持部品３３は、被支持曲面３３ｄの反対側に位置する上面３３ｅを有する。保持部品３３は、光学部品３１の角度調整を行うための調整治具を受け入れ可能である第１及び第２受入部３３ｃを含み、これらの受入部３３ｃは保持部品３３の上面３３ｅに設けられている。保持部３３ｂは、第１及び第２受入部３３ｃの間に設けられ反射器３５を支持可能な凹部３３ｆを含む。光学部品３１の受入部３３ｃに調整治具５１をはめ合わせるので、光学部品の角度調整を２つの角度に関して容易に行うことができる。
【００６６】
図１０は調整治具の一例を示す図面である。当該方法は、光学部品３１ａ〜３１ｃの角度を調整するための調整治具５１を準備する工程を更に備えることができる。図１０を参照すると、調整治具５１は、支持体５３と、支持体５３の一端から延出する一又は複数の突起５５ａ、５５ｂを有する。突起５５ａ、５５ｂは受入部３３ｃにはめ合わせ可能である。
【００６７】
調整治具５１は、図１１に示されるように用いられる。当該方法は、角度を調整する工程に先立って、調整治具５１を受入部３３ｃにはめ合わせる工程を更に備えることができる。また、調整治具５１を用いて、調整治具５１の支持体５３における突起５５ａの突出方向に延在する軸の回りの回転角（矢印ＡＲ１）、及び突出方向に延在する軸を、基板１３の主面１３ａの法線軸に対する傾斜角（矢印ＡＲ２）を調整できる。光学部品３１は、樹脂接着材を設けた凹部２１ａのエッジ２２ａに保持部品３３の被支持曲面３３ｄを接触させた状態で、上記の回転角及び傾斜角を変更できる。
【００６８】
調整治具５１にはめ合わされる保持部品３３は、例えば半球形状の被支持曲面３３ｄを有する。保持部品３３は、金属製であり、例えば磁性金属を備えることが好ましい。保持部品３３は、その上面３３ｅの中央には、調心する反射板３５を差し込む凹部３３ｆを有しており、また、上面３３ｅには、調心棒といった調整治具５１と位置合わせ可能な、半球もしくは直方体の穴形状の一又は複数の受入部３３ｃを有する。本実施例では、受入部３３ｃは、凹部３３ｆを挟むように設けられた一対の凹みとして形成される。反射板は、凹部３３ｆのなかで紫外線硬化樹脂により固定するか、ハンダで固定してもよい。
【００６９】
調心棒といった調整治具５１は、例えばコレット本体と呼ばれる筒状の部材５３からガラス材料の支柱状の突起５５ａ、５５ｂを含む構造を備え、突起５５ａ、５５ｂの各先端には、汎用接着材で固定された磁石５７ａを設けることがよい。この磁石の形状は半球形状が望ましいが、直方体でもよい。
【００７０】
この調整治具５１による調整方法を説明する。反射器といった被調整部品が、あらかじめ、半球部品といった保持部品に固定されている。例えば、調整治具５１の突起５５ａ、５５ｂの先端の磁石と半球部品の受入部３３ｃ（差し込み穴）とを磁力により結合させる。そして、この磁力による吸着を利用して、光学部品を基板１３の凹部２１ａに置く。磁力による吸着の替わりに、真空吸着や機械的な把持を用いても良い。ここで、凹部２１ａには、あらかじめ、紫外線硬化樹脂５７が投入されている。光源１５からのレーザビームを光学部品３１の反射器３５で反射させる際、調整治具５１のコレット本体をその軸回りに回転させる。煽りの調整は、基板に沿った面に対して調整治具を平行に移動させることによって、半球部品が凹部２１ａのエッジに押圧されて接触を保ったままで半球部品に回転運動を生じさせることによって行うことができる。本実施例では２本の突起の外径は、受入部３３ｃの内径に対して小さく形成されており、前記の回転運動は、これらの内外径差の隙間の範囲内で行なわれる。この回転運動は、実際に光源１５からの光を光ファイバで受けてその結合パワーをモニタしながら、調整治具の移動量に対してフィードバック制御を行う。調整治具５１のコレットの回転および突起長の制御による角度調整が終了したら、半球部品といった光学部品３１を基板１３の凹部２１ａにＵＶ光を照射することによって固定する。調整の際に半球部品が固定される基板１３上の凹部２１ａは、光学部品３１が凹部２１ａの底面に接触しない程度に深さを有する。光学部品３１は、凹部２１ａのエッジに接触して回転可能に保持される。
【００７１】
本発明は、本実施の形態に開示された特定の構成に限定されるものではない。
【産業上の利用可能性】
【００７２】
本実施の形態によれば、光源から出力までの光路上に波長選択フィルタを含む波長多重送信モジュールにおいて反射器の方向の調整を可能にして低損失な合波を提供する、波長多重送信モジュールを作製する方法が提供される。また、本実施の形態によれば、反射器の方向の調整を可能にして低損失な合波を提供する波長多重送信モジュールが提供される。さらに、本実施の形態によれば、この波長多重送信モジュールのための保持部品が提供される。
【符号の説明】
【００７３】
１１…基板部品、１３…基板、１５、１５ａ、１５ｂ、１５ｃ、１５ｄ…光源、１７、１７ａ、１７ｂ、１９…フィルタ部品、２１ａ、２１ｂ、２１ｃ…凹部、２３…位置決めマーク、２２ａ、２２ｂ、２２ｃ…エッジ、２５…光学レンズ、２７、２７ａ、２７ｂ…偏波回転部品、２８…モニタ装置、２９…パッケージ、３１、３１ａ〜３１ｃ…光学部品、３０…光源駆動部品、３３…保持部品、３３ａ…角度調整部、３３ｂ…保持部、３３ｃ…受入部、３３ｄ…被支持曲面、３１ｅ…保持部品上面、３３ｆ…凹部、３５…反射器、ＲＥＦ１…第１基準面、Ａｘ…基準軸、ＣＶ１…第１凸曲線、ＲＥＦ２…第２基準面、ＣＶ２…第２凸曲線、ＲＰＬ…平面、３９…蓋、４１…ハウジング、４３…光ファイバ、４５…スリーブ部品。
【図１】
2013205629.tif 000003
【図２】
2013205629.tif 000004
【図３】
2013205629.tif 000005
【図４】
2013205629.tif 000006
【図５】
2013205629.tif 000007
【図６】
2013205629.tif 000008
【図７】
2013205629.tif 000009
【図８】
2013205629.tif 000010
【図９】
2013205629.tif 000011
【図１０】
2013205629.tif 000012
【図１１】
2013205629.tif 000013